(57)【要約】【課題】感光体全体として優れた電気特性を維持しつつ、耐摩耗性を付与できる積層型電子写真感光体を提供する。【解決手段】本発明は、感光層を備える電子写真感光体であって、前記感光層は、電荷発生剤を含有する電荷発生層と、正孔輸送剤、バインダー樹脂、及びシリカ粒子を含有する電荷輸送層とが積層された積層型感光層、又は、電荷発生剤、正孔輸送剤、バインダー樹脂、及びシリカ粒子を含有する単層型感光層である。前記電荷輸送層は、前記積層型感光層の最表面にある。前記電荷輸送層は、ビフェニル誘導体を含む。前記シリカ粒子の含有量は、前記バインダー樹脂１００質量部に対して０．５質量部以上１５質量部以下である。【選択図】なし【特許請求の範囲】
【請求項１】
感光層を備える電子写真感光体であって、
前記感光層は、
電荷発生剤を含有する電荷発生層と、正孔輸送剤、バインダー樹脂、ビフェニル誘導体、及びシリカ粒子を含有する電荷輸送層とが積層された積層型感光層、又は、
電荷発生剤、正孔輸送剤、バインダー樹脂、ビフェニル誘導体、及びシリカ粒子を含有する単層型感光層であり、
前記電荷輸送層は、前記積層型感光層の最表面にあり、
前記シリカ粒子の含有量は、前記バインダー樹脂１００質量部に対して０．５質量部以上１５質量部以下である、電子写真感光体。
【請求項２】
前記シリカ粒子は、ヘキサメチルジシラザンで表面処理されている、請求項１に記載の電子写真感光体。
【請求項３】
前記ビフェニル誘導体は、一般式（１）〜（８）のいずれかで表される化合物である、請求項１又は２に記載の電子写真感光体。
【化１】
2015169859.tif 000046
【化２】
2015169859.tif 000047
【化３】
2015169859.tif 000048
【化４】
2015169859.tif 000049
【化５】
2015169859.tif 000050
【化６】
2015169859.tif 000051
【化７】
2015169859.tif 000052
【化８】
2015169859.tif 000053
【請求項４】
前記正孔輸送剤は、一般式（９）〜（１２）のいずれかで表される化合物である、請求項１〜３のいずれか１項に記載の電子写真感光体。
【化９】
2015169859.tif 000054
前記一般式（９）において、Ｒ1〜Ｒ7はそれぞれ独立に、水素原子、炭素数１〜８のアルキル基、炭素数１〜８のアルコキシ基、又は炭素数１〜８のフェニル基であり、又は、Ｒ3〜Ｒ7のうち隣接したいずれか二つは、炭素数４〜６のアルキル環若しくはベンゼン環を形成する。ｄは、０〜５の整数である。
【化１０】
2015169859.tif 000055
前記一般式（１０）中、Ｒ8〜Ｒ15はそれぞれ独立に、水素原子、炭素数１〜８のアルキル基、炭素数１〜８のフェニル基であり、又は炭素数１〜８のアルコキシ基であり、ｅは、０〜５の整数であり、ｆは、０〜４の整数であり、ｎは、０又は１の整数である。
【化１１】
2015169859.tif 000056
前記一般式（１１）中、Ｒ16〜Ｒ22はそれぞれ独立に、水素原子、炭素数１〜８のアルキル基、炭素数１〜８のフェニル基、又は炭素数１〜８のアルコキシ基であり、ｇは、０〜４の整数であり、ｈは、０〜５の整数である。
【化１２】
2015169859.tif 000057
前記一般式（１２）中、Ａｒ1は、アリール基、又は共役ニ重結合を有する複素環基であり、Ａｒ2は、アリール基であり、Ａｒ1及びＡｒ2はそれぞれ独立に、炭素数１〜６のアルキル基、炭素数１〜６のフェノキシ基、又は炭素数１〜６のアルコキシ基からなる群より選択される１以上の基に置換されてもよい。
【請求項５】
前記バインダー樹脂の粘度平均分子量は、４００００以上である、請求項１〜４のいずれか１項に記載の電子写真感光体。
【発明の詳細な説明】
【技術分野】
【０００１】
本発明は、電子写真感光体に関する。
【背景技術】
【０００２】
電子写真方式のプリンター又は複合機においては、像担持体として電子写真感光体が用いられている。一般に、電子写真感光体は、導電性基体と、導電性基体の上に直接又は間接に設けられた感光層とを備えている。電荷輸送材料、電荷発生材料、及びこれらの材料を結着させる樹脂（有機材料）を含有する感光層を備える感光体は、電子写真有機感光体と呼ばれる。電子写真有機感光体のうち、主に電荷輸送材料を含有することによる電荷輸送機能と主に電荷発生材料を含有することによる電荷発生機能とを別々の層にもたせるものは、積層型電子写真感光体と称される。電荷輸送材料と電荷発生材料とが同一の層に含み、電荷発生と電荷輸送との両方の機能を同一の層で実現する電子写真感光体は、単層型電子写真感光体と称される。
【０００３】
一方、感光体としては、無機材料（例えば、セレン、又はアモルファスシリコン感光体）を用いた電子写真無機感光体も挙げられる。電子写真有機感光体は、電子写真無機感光体と比較して、環境への影響が比較的小さく、成膜及び製造が容易であるといった利点を有するので、現在多くの画像形成装置に用いられている。
【０００４】
単層型及び積層型の有機感光体に適用可能な電荷輸送材料のうち、正孔を輸送する正孔輸送剤としては、特許文献１に記載のブタジエニルベンゼンアミン誘導体が挙げられる。ブタジエニルベンゼンアミン誘導体は、正孔の輸送能に優れている。
【先行技術文献】
【特許文献】
【０００５】
【特許文献１】特開２００５−２８９８７７号公報
【発明の概要】
【発明が解決しようとする課題】
【０００６】
しかしながら、電子写真感光体の感光層にブタジエニルベンゼンアミン誘導体を正孔輸送剤として使用する場合、十分な電気特性及び耐摩耗性が得られないことがある。
【０００７】
本発明は上記課題に鑑みてなされたものであり、その目的は、優れた電気特性を維持しつつ、耐摩耗性を付与できる電子写真感光体を提供することにある。
【課題を解決するための手段】
【０００８】
本発明は、感光層を備える電子写真感光体であって、前記感光層は、電荷発生剤を含有する電荷発生層と、正孔輸送剤、バインダー樹脂、ビフェニル誘導体、及びシリカ粒子を含有する電荷輸送層とが積層された積層型感光層、又は、電荷発生剤、正孔輸送剤、バインダー樹脂、ビフェニル誘導体、及びシリカ粒子を含有する単層型感光層である。前記電荷輸送層は、前記積層型感光層の最表面にある。前記シリカ粒子の含有量は、前記バインダー樹脂１００質量部に対して０．５質量部以上１５質量部以下である。
【発明の効果】
【０００９】
本発明によれば、優れた電気特性を維持しつつ、耐摩耗性を付与できる電子写真感光体を提供することができる。
【図面の簡単な説明】
【００１０】
【図１】本実施形態における積層型電子写真感光体の構造を示す概略断面図である。
【図２】本実施形態における単層型電子写真感光体の構造を示す概略断面図である。
【発明を実施するための形態】
【００１１】
以下、図面を参照して本発明による電子写真感光体の実施形態を説明する。ただし、本発明は以下の実施形態に限定されない。
【００１２】
本実施形態における電子写真感光体は、基体と、基体上に設けられた感光層とを備える。電子写真感光体において、感光層は、積層型感光層又は単層型感光層のいずれであってもよい。感光層は、ビフェニル誘導体、及びシリカ粒子を含有する。
【００１３】
以下、図１及び図２を参照して、本実施形態における積層型電子写真感光体１０、及び単層型電子写真感光体２０を詳細に説明する。
【００１４】
≪積層型電子写真感光体１０≫
図１は、本実施形態における積層型電子写真感光体１０の構造を示す概略断面図である。
【００１５】
図１（ａ）に示すように、積層型電子写真感光体１０は、基体１１と、感光層１２とを備える。感光層１２は、電荷発生層１３と電荷輸送層１４とを含む。
積層型電子写真感光体１０は、塗布等によって、電荷発生層１３と電荷輸送層１４とを基体１１上に積層させることによって作製することができる。電荷発生層１３は、電荷発生剤を含有し、電荷輸送層１４は、正孔輸送剤、シリカ粒子、ビフェニル誘導体、及びバインダー樹脂を含有する。なお、電荷発生層１３は、単層であってもよく、複数層であってもよい。また、電荷輸送層１４は、単層であってもよく、複数層であってもよい。
【００１６】
積層型電子写真感光体１０において、一般に、電荷輸送層１４の膜厚は、電荷発生層１３の膜厚と比べて薄い。積層型電子写真感光体１０では、電荷輸送層１４が最表面にあるため、長期間使用しても、電荷発生層１３が、磨耗したり、破損したりすることを抑制することができる。
【００１７】
（基体）
基体１１としては、導電性を有する種々の材料を使用することができる。基体１１としては、例えば、金属（例えば、鉄、アルミニウム、銅、スズ、白金、銀、バナジウム、モリブデン、クロム、カドミウム、チタン、ニッケル、パラジウム、インジウム、ステンレス鋼、又は真鍮）から形成された基体、上述の金属が蒸着またはラミネートされたプラスチック材料からなる基体、又はヨウ化アルミニウム、アルマイト、酸化スズ、又は酸化インジウムなどで被覆されたガラス製の基体が挙げられる。
【００１８】
すなわち、基体１１としては、その全体が導電性を有するか、又は少なくとも基体１１の表面が導電性を有していればよい。また、基体１１は、使用に際して、十分な機械的強度を有することが好ましい。
【００１９】
また、基体１１の形状は、基体１１が用いられる画像形成装置の構造に合わせて、シート状であってもよく、ドラム状であってもよい。
【００２０】
（中間層）
積層型電子写真感光体１０において、図１（ｂ）に示すように、基体１１上に、所定の結着樹脂を含有する中間層１５が設けられてもよい。中間層１５は、基体１１と電荷発生層１３との間に設けられてもよく、電荷発生層１３と電荷輸送層１４との間に設けられてもよい。
【００２１】
積層型電子写真感光体１０は、中間層１５を備えることにより、基体１１及び感光層１２の密着性を向上させることができる。また、中間層１５内に所定の微粉末を添加することにより、入射光を散乱させて、干渉縞の発生を抑制すると共に、カブリや黒点の原因となる非露光時における基体１１から感光層１２への電荷注入を抑制することができる。
【００２２】
中間層１５に添加する微粉末としては、光散乱性、及び分散性を有するものであれば特に限定されるものではないが、例えば、白色顔料（例えば、酸化チタン、酸化亜鉛、亜鉛華、硫化亜鉛、鉛白、又はリトポン）、体質顔料としての無機顔料（例えば、アルミナ、炭酸カルシウム、又は硫酸バリウム）、フッ素樹脂粒子、ベンゾグアナミン樹脂粒子、又はスチレン樹脂粒子が挙げられる。
【００２３】
なお、中間層１５の膜厚は、０．１μｍ以上５０μｍ以下であることが好ましい。
【００２４】
以上のように、積層型電子写真感光体１０が中間層１５を備えることで、基体１１側からの電荷注入が抑制され、部分的な絶縁破壊を防止する効果を有する。
【００２５】
（電荷発生層）
積層型電子写真感光体１０において、電荷発生層１３は、電荷発生剤を含む。電荷発生剤は、電子写真感光体用の電荷発生剤であれば、特に限定されない。電荷発生剤としては、例えば、Ｘ型無金属フタロシアニン（ｘ−Ｈ2Ｐｃ）、Ｙ型チタニルフタロシアニン（Ｙ−ＴｉＯＰｃ）、ペリレン顔料、ビスアゾ顔料、ジチオケトピロロピロール顔料、無金属ナフタロシアニン顔料、金属ナフタロシアニン顔料、スクアライン顔料、トリスアゾ顔料、インジゴ顔料、アズレニウム顔料、シアニン顔料、セレン、セレン−テルル、セレン−ヒ素、硫化カドミウム、アモルファスシリコンのような無機光導電材料の粉末、ピリリウム塩、アンサンスロン系顔料、トリフェニルメタン系顔料、スレン系顔料、トルイジン系顔料、ピラゾリン系顔料、又はキナクリドン系顔料が挙げられる。
【００２６】
所望の領域に吸収波長を有する電荷発生剤を単独で用いてもよいし、２種以上の電荷発生剤を組み合わせて用いてもよい。更に、例えば、デジタル光学系の画像形成装置（例えば、半導体レーザーのような光源を使用したレーザービームプリンター、又はファクシミリ）には、７００ｎｍ以上の波長領域に感度を有する感光体を用いることが好ましい。そのため、例えば、フタロシアニン系顔料（例えば、Ｘ型無金属フタロシアニン（ｘ−Ｈ2Ｐｃ）、又はＹ型チタニルフタロシアニン（Ｙ−ＴｉＯＰｃ））が好適に用いられる。なお、フタロシアニン系顔料の結晶形状については特に限定されず、種々の結晶形状を有するフタロシアニン系顔料が使用される。
【００２７】
短波長レーザー光源（例えば、３５０ｎｍ以上５５０ｎｍ以下程度の波長を有するレーザー光源）を用いた画像形成装置に適用される感光体には、電荷発生剤として、アンサンスロン系顔料、又はペリレン系顔料が好適に用いられる。
【００２８】
電荷発生層用ベース樹脂は、電荷発生層用の樹脂であれば、特に限定されない。電荷発生層用ベース樹脂の具体例としては、スチレン−ブタジエン共重合体、スチレン−アクリロニトリル共重合体、スチレン−マレイン酸共重合体、アクリル共重合体、スチレン−アクリル酸共重合体、ポリエチレン樹脂、エチレン−酢酸ビニル共重合体、塩素化ポリエチレン樹脂、ポリ塩化ビニル樹脂、ポリプロピレン樹脂、アイオノマー樹脂、塩化ビニル−酢酸ビニル共重合体、アルキド樹脂、ポリアミド樹脂、ポリウレタン樹脂、ポリスルホン樹脂、ジアリルフタレート樹脂、ケトン樹脂、ポリビニルアセタール樹脂、ポリビニルブチラール樹脂、ポリエーテル樹脂、シリコーン樹脂、エポキシ樹脂、フェノール樹脂、尿素樹脂、メラミン樹脂、エポキシアクリレート樹脂、又はウレタン−アクリレート樹脂が挙げられる。電荷発生層用ベース樹脂としては、ポリビニルブチラール樹脂が好適に使用される。電荷発生層用ベース樹脂は、１種単独で用いられてもよく、２種以上を組み合わせて用いられてもよい。
【００２９】
通常、電荷発生層及び電荷輸送層が形成されている。そのため、電荷輸送層を形成する際の塗布液に用いられる溶剤に溶解しないように、積層型電子写真感光体においては、電荷発生層用ベース樹脂は、バインダー樹脂とは異なる樹脂であることが好ましい。
【００３０】
電荷発生剤の含有量は、電荷発生層１３に含有されるベース樹脂１００質量部に対して５質量部以上１０００質量部以下であることが好ましく、３０質量部以下５００質量部以上であることがより好ましい。また、電荷発生層１３の膜厚は、０．１μｍ以上５μｍ以下であることが好ましい。
【００３１】
（電荷輸送層）
電荷輸送層１４において、ビフェニル誘導体、正孔輸送剤、シリカ粒子、バインダー樹脂、及び電子アクセプター化合物が用いられる。
【００３２】
電荷輸送層１４において用いられるビフェニル誘導体としては、一般式（１）〜一般式（８）で表される「ＡＤＤ−１」〜「ＡＤＤ−８」の化合物又はその誘導体であることが好ましい。
【００３３】
【化１】
2015169859.tif 000002
【００３４】
【化２】
2015169859.tif 000003
【００３５】
【化３】
2015169859.tif 000004
【００３６】
【化４】
2015169859.tif 000005
【００３７】
【化５】
2015169859.tif 000006
【００３８】
【化６】
2015169859.tif 000007
【００３９】
【化７】
2015169859.tif 000008
【００４０】
【化８】
2015169859.tif 000009
【００４１】
ビフェニル誘導体において、バインダー樹脂の機能を効果的に発揮することができる。すなわち、ビフェニル誘導体を用いると、バインダー樹脂と選択的に相溶することにより、電子写真感光体の優れた耐摩耗性や電気特性を保持しつつ、電子写真感光体の優れた耐クラック性を発揮することができる。
【００４２】
ビフェニル誘導体の含有量は、バインダー樹脂１００質量部に対して０．１質量部以上１５質量部以下であることが好ましい。
【００４３】
正孔輸送剤は、スチリルトリアリールアミン構造を有する化合物（以下、スチリルトリアリールアミン誘導体と称する。）を含むことが好ましい。
【００４４】
スチリルトリアリールアミン誘導体において、アリールアミン基が存在することから、電気特性、特に、残留電位の抑制に効果的に寄与することができる。このような効果が得られる理由としては、下記の様に推測できる。
【００４５】
スチリルトリアリールアミン誘導体において、アリールアミン基が存在することから、イオン化ポテンシャルを低下させることもできる。これにより、スチリルトリアリールアミン誘導体と電荷発生剤との間における電荷授受のエネルギーギャップが小さくなり、電荷輸送効率を効果的に向上させることができる。特に、電荷発生層と電荷輸送層とが含まれている積層型電子写真感光体において、電荷輸送層に含有される正孔輸送剤として、スチリルトリアリールアミン誘導体を使用すると、これらの層界面における電荷の移動を効果的に向上させることができる。従って、スチリルトリアリールアミン誘導体において、アリールアミン基が存在することにより、電子写真感光体の優れた電気特性を実現することができる。
【００４６】
そして、スチリルトリアリールアミン誘導体は、アリールアミン基が存在することから、溶剤への溶解性を向上させることができる。
【００４７】
スチリルトリアリールアミン誘導体を含む正孔輸送剤の含有量は、電荷輸送層１４に含まれるバインダー樹脂１００質量部に対して、３０質量部以上６０質量部以下であることが好ましく、３０質量部以上５５質量部以下であることがより好ましい。
【００４８】
スチリルトリアリールアミン誘導体を含む正孔輸送剤の含有量をこのような範囲にすることにより、電荷輸送層１４中におけるスチリルトリアリールアミン誘導体の分散性をより向上させて、更に、電子写真感光体は優れた電気特性を得ることができる。スチリルトリアリールアミン誘導体を含む正孔輸送剤の含有量が３０質量部未満であると、電子写真感光体は十分な電気特性を得ることが困難となることがある。一方、スチリルトリアリールアミン誘導体を含む正孔輸送剤の含有量が６０質量部を超えると、電荷輸送層１４中でのスチリルトリアリールアミン誘導体の分散性が低下して、電子写真感光体の電荷輸送効率が低下することがある。
【００４９】
以下に、スチリルトリアリールアミン誘導体を含む正孔輸送剤の具体例を示す。具体例としては、一般式（９）〜一般式（１２）で表される正孔輸送剤が挙げられる。
【００５０】
【化９】
2015169859.tif 000010
一般式（９）において、Ｒ1〜Ｒ7はそれぞれ独立に、水素原子、炭素数１〜８のアルキル基、炭素数１〜８のアルコキシ基、又は炭素数１〜８のフェニル基であり、又は、Ｒ3〜Ｒ7のうち隣接したいずれか二つは、炭素数４〜６のアルキル環若しくはベンゼン環を形成する。ｄは、０〜５の整数である。
【００５１】
【化１０】
2015169859.tif 000011
一般式（１０）中、Ｒ8〜Ｒ15はそれぞれ独立に、水素原子、炭素数１〜８のアルキル基、炭素数１〜８のフェニル基であり、又は炭素数１〜８のアルコキシ基であり、ｅは、０〜５の整数であり、ｆは、０〜４の整数であり、ｎは、０又は１の整数である。
【００５２】
【化１１】
2015169859.tif 000012
一般式（１１）中、Ｒ16〜Ｒ22はそれぞれ独立に、水素原子、炭素数１〜８のアルキル基、炭素数１〜８のフェニル基、又は炭素数１〜８のアルコキシ基であり、ｇは、０〜４の整数であり、ｈは、０〜５の整数である。
【００５３】
【化１２】
2015169859.tif 000013
一般式（１２）中、Ａｒ1は、アリール基、又は共役ニ重結合を有する複素環基であり、Ａｒ2は、アリール基であり、Ａｒ1及びＡｒ2はそれぞれ独立に、炭素数１〜６のアルキル基、炭素数１〜６のフェノキシ基、又は炭素数１〜６のアルコキシ基からなる群より選択される１以上の基に置換されてもよい。
【００５４】
また、電荷輸送層１４は、スチリルトリアリールアミン誘導体とは異なる正孔輸送剤をさらに含有してもよい。
【００５５】
正孔輸送剤として代表的な含窒素環式化合物及び縮合多環式化合物としては、例えば、スチリルトリアリールアミン系化合物（スチリルトリアリールアミン誘導体を除く）、オキサジアゾール系化合物（例えば、２，５−ジ（４−メチルアミノフェニル）−１，３，４−オキサジアゾール）、スチリル系化合物（例えば、９−（４−ジエチルアミノスチリル）アントラセン）、カルバゾール系化合物（例えば、ポリビニルカルバゾール）、有機ポリシラン化合物、ピラゾリン系化合物（例えば、１−フェニル−３−（ｐ−ジメチルアミノフェニル）ピラゾリン）、ヒドラゾン系化合物、インドール系化合物、オキサゾール系化合物、イソオキサゾール系化合物、チアゾール系化合物、チアジアゾール系化合物、イミダゾール系化合物、ピラゾール系化合物、又はトリアゾール系化合物が挙げられる。なお、正孔輸送剤は、１種単独で用いられてもよく、２種以上を組み合わせて用いられてもよい。
【００５６】
上述したように、スチリルトリアリールアミン誘導体とは異なる正孔輸送剤をさらに含有する場合、この正孔輸送剤の含有量は、バインダー樹脂１００質量部に対して１質量部以上１００質量部以下であることが好ましい。
【００５７】
本実施形態の積層型電子写真感光体１０において、積層型感光層１２の電荷輸送層１４はシリカ粒子を含有する。シリカ粒子と、他の粒子（例えば、酸化亜鉛、酸化チタン、酸化スズ、酸化アンチモン、酸化インジウム、酸化ビスマス、スズをドープした酸化インジウム、アンチモン若しくはタンタルをドープした酸化スズ、又は酸化ジルコニウム）とを比較すると、シリカ粒子は、感光層の耐摩耗性を向上させることができる。更に、シリカ粒子は、容易に表面処理されるとともに、製造コストに優れ、粒子の調製が容易である。なお、シリカ粒子は、シリカ微粒子であることが好ましい。
【００５８】
シリカ微粒子の平均一次粒子径は、７ｎｍ以上５０ｎｍ以下であることが好ましい。シリカ微粒子の粒子径が７ｎｍ未満であると、電子写真感光体の耐摩耗性に劣ったり感光層表面の異物が発生したりする場合がある。一方、シリカ微粒子の粒子径が５０ｎｍを超えると、バインダー樹脂中のシリカ微粒子の分散性が低下する場合がある。
【００５９】
積層型電子写真感光体１０において、シリカ微粒子の含有量は、バインダー樹脂１００質量部に対して０．５質量部以上１５質量部以下であることが好ましい。
【００６０】
シリカ微粒子は、電子写真感光体の耐摩耗性及び耐クラック性を向上させるために、表面処理剤で表面処理される。シリカ微粒子の表面処理剤としては、例えば、ヘキサメチルジシラザン、Ｎ−メチル−ヘキサメチルジシラザン、Ｎ−エチル−ヘキサメチルジシラザン、ヘキサメチル−Ｎ−プロピルジシラザン、ジメチルジクロロシラン、又はポリジメチルシロキサンが挙げられる。シリカ微粒子表面の水酸基との反応性が良好であるために、シリカ微粒子の表面処理剤としては、ヘキサメチルジシラザンを用いることが特に好ましい。表面処理剤として、ヘキサメチルジシラザンを用いると、シリカ微粒子表面の水酸基との反応性が良好であるため、シリカ微粒子表面の水酸基が少なくなる。その結果、水分（湿度）による感光体の電気特性の低下を抑制することができる。
【００６１】
さらに、表面処理剤として、ヘキサメチルジシラザンを用いることにより、シリカ微粒子表面から表面処理剤の遊離を抑制することができる。このため、遊離された表面処理剤が電荷のトラップとなることによる感度の繰り返し特性の低下を抑制することができる。また、シリカ微粒子及びビフェニル誘導体が、電荷輸送層１４に含まれることにより、電子写真感光体の耐摩耗性及び電気特性を向上させることができる。
【００６２】
電荷輸送層１４に含まれるバインダー樹脂としては、公知のポリカーボネート樹脂が挙げられる。更に、電荷輸送層１４に含まれるバインダー樹脂としては、一般式（１３）〜一般式（１５）で表される「Ｒｅｓｉｎ−１」〜「Ｒｅｓｉｎ−３」が挙げられる。
【００６３】
【化１３】
2015169859.tif 000014
【００６４】
【化１４】
2015169859.tif 000015
【００６５】
【化１５】
2015169859.tif 000016
【００６６】
電荷輸送層１４において用いられるバインダー樹脂とは異なる樹脂を用いてもよい。バインダー樹脂としては、例えば、熱可塑性樹脂（例えば、ポリカーボネート樹脂（一般式（１３）〜一般式（１５）の骨格を有するポリカーボネート樹脂以外のポリカーボネート樹脂）、ポリエステル樹脂、ポリアリレート樹脂、スチレン−ブタジエン共重合体樹脂、スチレン−アクリロニトリル共重合体樹脂、スチレン−マレイン酸共重合体樹脂、アクリル共重合体樹脂、スチレン−アクリル酸共重合体樹脂、ポリエチレン樹脂、エチレン−酢酸ビニル共重合体樹脂、塩素化ポリエチレン樹脂、ポリ塩化ビニル樹脂、ポリプロピレン樹脂、アイオノマー樹脂、塩化ビニル−酢酸ビニル共重合体、アルキド樹脂、ポリアミド樹脂、ポリウレタン樹脂、ポリスルホン樹脂、ジアリルフタレート樹脂、ケトン樹脂、ポリビニルブチラール樹脂、又はポリエーテル樹脂）、熱硬化性樹脂（例えば、シリコーン樹脂、エポキシ樹脂、フェノール樹脂、尿素樹脂、又はメラミン樹脂）、又は光硬化性樹脂（例えば、エポキシアクリレート樹脂、又はウレタン−アクリレート樹脂）が挙げられる。これらのバインダー樹脂は、１種単独で用いられてもよく、２種以上を組み合わせて用いられてもよい。
【００６７】
バインダー樹脂の粘度平均分子量は、４００００以上であることが好ましく、４００００以上６００００以下であることがより好ましい。バインダー樹脂の粘度平均分子量が低すぎると、バインダー樹脂の耐摩耗性を高めることができず、電荷輸送層が摩耗しやすくなる。また、バインダー樹脂の粘度平均分子量が高すぎると、非ハロゲン系極性及び無極性混合溶剤に溶解しにくくなる。その結果、電荷輸送層用塗布液を調製しにくくなる等、好適な電荷輸送層を形成することが困難になる。
【００６８】
電荷輸送層１４は、正孔輸送剤に加えて電子アクセプター化合物を用いてもよい。電子アクセプター化合物としては、例えば、キノン誘導体、アントラキノン誘導体、マロノニトリル誘導体、チオピラン誘導体、トリニトロチオキサントン誘導体、３，４，５，７−テトラニトロ−９−フルオレノン誘導体、ジニトロアントラセン誘導体、ジニトロアクリジン誘導体、ニトロアントアラキノン誘導体、ジニトロアントラキノン誘導体、テトラシアノエチレン、２，４，８−トリニトロチオキサントン、ジニトロベンゼン、ジニトロアントラセン、ジニトロアクリジン、ニトロアントラキノン、ジニトロアントラキノン、無水コハク酸、無水マレイン酸、又はジブロモ無水マレイン酸が挙げられる。これらの電子アクセプター化合物は、１種単独で用いられてもよく、２種以上を組み合わせて用いられてもよい。
【００６９】
上述した電子アクセプター化合物を含有する場合、電子アクセプター化合物の含有量は、バインダー樹脂１００質量部に対して、０．１質量部以上２０質量部以下であることが好ましい。
【００７０】
電荷輸送層１４は、酸化防止剤を含有してもよい。酸化防止剤としては、例えば、ヒンダードフェノール系化合物、ヒンダードアミン系化合物、チオエーテル系化合物、又はホスファイト系化合物が挙げられる。これらの酸化防止剤の中でも、ヒンダードフェノール系化合物又はヒンダードアミン系化合物が好ましい。
【００７１】
電荷輸送層１４中の酸化防止剤の添加量は、バインダー樹脂１００質量部に対して、０．１質量部以上１０質量部以下であることが好ましい。酸化防止剤の添加量がこのような範囲内であると、電子写真感光体が酸化されることによる電子写真感光体の電気特性の低下を抑制できる。
【００７２】
電荷輸送層１４の膜厚は、５μｍ以上５０μｍ以下であることが好ましい。
【００７３】
［積層型電子写真感光体の製造方法］
例えば、以下のような手順で、積層型電子写真感光体１０を製造することができる。まず、溶剤に、電荷発生剤、及びベース樹脂等を混合して、電荷発生層用塗布液を調製する。このようにして得られた塗布液を、例えば、ディップコート法、スプレー塗布法、ビード塗布法、ブレード塗布法、又はローラー塗布法のような塗布法を用いて導電性基材（例えば、アルミニウム素管）上に塗布する。その後、熱風乾燥して、所定の膜厚の電荷発生層１３を形成することができる。
【００７４】
塗布液を調製するための溶剤として、種々の有機溶剤を用いることができる。有機溶剤としては、例えば、アルコール類（例えば、メタノール、エタノール、イソプロパノール、又はブタノール）、脂肪族系炭化水素（例えば、ｎ−ヘキサン、オクタン、又はシクロヘキサン）、芳香族系炭化水素（例えば、ベンゼン、トルエン、又はキシレン）、ハロゲン化炭化水素（例えば、ジクロロメタン、ジクロロエタン、クロロホルム、四塩化炭素、又はクロロベンゼン）、エーテル類（例えば、ジメチルエーテル、ジエチルエーテル、テトラヒドロフラン、エチレングリコールジメチルエーテル、ジエチレングリコールジメチルエーテル、プロピレングリコールモノメチルエーテル、１，３−ジオキソラン、又は１，４−ジオキサン）、ケトン類（例えば、アセトン、メチルエチルケトン、又はシクロヘキサノン）、エステル類（例えば、酢酸メチル、又は酢酸エチル）、ジメチルホルムアルデヒド、ジメチルホルムアミド、又はジメチルスルホキシドが挙げられる。これらの有機溶剤は、１種単独で用いられてもよく、２種以上を組み合わせて用いられてもよい。
【００７５】
次に、上述した溶剤にビフェニル誘導体、正孔輸送剤、バインダー樹脂、シリカ微粒子、及び電子アクセプター化合物を分散させて電荷輸送層用塗布液を調製する。次に、予め形成された電荷発生層１３上に電荷輸送層用塗布液を塗布し、乾燥させる。なお、電荷輸送層用塗布液の作製方法、塗布方法、及び乾燥方法については、電荷発生層１３の電荷発生層用塗布液の作製方法、塗布方法、及び乾燥方法と同様に行うことができる。
【００７６】
また、シリカ微粒子は、公知の方法で分散装置を用いて電荷輸送層１４中に分散させることができる。このような分散装置としては、例えば、ロールミル、ビーズミル、ペイントシェーカー、又は超音波分散装置が挙げられる。これらの分散装置の中でも、超音波分散装置を用いると、シリカ微粒子を良好に分散させることができる。
【００７７】
≪単層型電子写真感光体２０≫
図２は、本実施形態における単層型電子写真感光体２０の構造を示す概略断面図である。例えば、図２（ａ）に示すように、本発明の単層型電子写真感光体２０は、基体２１と、単一層である感光層２２とを備える。感光層２２は、基体２１の上に形成されている。
【００７８】
単層型電子写真感光体２０において、図２（ｂ）に示すように、基体２１と感光層２２との間に、中間層２３が設けられてもよい。
【００７９】
基体２１及び感光層２２（電荷発生剤、電子アクセプター化合物、正孔輸送剤、バインダー樹脂、ビフェニル誘導体、及びシリカ微粒子）として、基体１１及び感光層１２に含まれる材料を用いることができる。
【００８０】
また、単層型電子写真感光体２０において、電荷発生剤、正孔輸送剤、バインダー樹脂、ビフェニル誘導体、電子アクセプター化合物、及びシリカ微粒子の各含有量は、特に限定されない。具体的には、例えば、電荷発生剤の含有量は、バインダー樹脂１００質量部に対して、０．２質量部以上４０質量部以下であることが好ましい。正孔輸送剤としてのスチリルトリアリールアミン誘導体の含有量は、バインダー樹脂１００質量部に対して、３０質量部以上６０質量部以下であることが好ましい。ビフェニル誘導体の含有量は、バインダー樹脂１００質量部に対して０．１質量部以上１５質量部以下であることが好ましい。電子アクセプター化合物の含有量は、バインダー樹脂１００質量部に対して１０質量部以上７０質量部以下であることが好ましい。シリカ微粒子の含有量は、バインダー樹脂１００質量部に対して０．５質量部以上１５質量部以下であることが好ましい。
【００８１】
感光層２２の厚さは、感光層２２として十分に機能することができれば、特に限定されない。具体的には、５μｍ以上１００μｍ以下であることが好ましく、１０μｍ以上５０μｍ以下であることがより好ましい。
【００８２】
［単層型電子写真感光体の製造方法］
単層型電子写真感光体２０は、例えば、以下のように製造することができる。溶剤に、電荷発生剤、正孔輸送剤、バインダー樹脂、ビフェニル誘導体、及びシリカ微粒子等を混合して、感光層用塗布液を調製する。このようにして得られた感光層用塗布液を、塗布法を用いて導電性基体上に塗布する。その後、熱風乾燥して、所定の膜厚の感光層２２を形成することができる。なお、感光層用塗布液の作製方法、塗布方法、及び乾燥方法については、積層型電子写真感光体１０の電荷発生層１３の電荷発生層用塗布液の作製方法、塗布方法、及び乾燥方法と同様に行うことができる。
【実施例】
【００８３】
以下、実施例を用いて、本発明を更に具体的に説明する。なお、本発明はこの実施例の範囲に限定されるものではない。
【００８４】
＜感光体Ａ−１の作製方法＞
はじめに、表面処理された酸化チタン（テイカ株式会社製、「ＳＭＴ−Ａ」、数平均一次粒子径１０ｎｍ）を準備した。詳しくは、アルミナ及びシリカで表面処理した後、ビーズミルを用いて、湿式分散しながらメチルハイドロジェンポリシロキサンを用いて表面処理したものを準備した。次いで、酸化チタン２質量部と、ナイロン６、ナイロン１２、ナイロン６６、ナイロン６１０四次元共重合ポリアミド樹脂（東レ株式会社製「アラミンＣＭ８０００」）１質量部とを、メタノール１０質量部、ブタノール１質量部、及びトルエン１質量部を含む溶剤に対して添加した。次いで、これらをビーズミルを用いて５時間混合し、溶剤中に材料を分散させた。これにより、中間層用塗布液を調製した。
【００８５】
得られた中間層用塗布液を目開き５μｍのフィルターを用いてろ過した。その後、直径３０ｍｍ、長さ２４６ｍｍのドラム状のアルミニウム基体（支持基体）の表面に中間層用塗布液をディップコート法により塗布した。続いて、中間層用塗布液を１３０℃で３０分間乾燥させて、基体上に膜厚２μｍの中間層を形成した。
【００８６】
Ｃｕ−Ｋα特性Ｘ線回折スペクトルにおいて、ブラッグ角２θ±０．２°＝２７.２°に１つのメインピークを有する化学式（１６）で表されるチタニルフタロシアニン１.５質量部と、ベース樹脂としてのポリビニルアセタール樹脂（積水化学工業株式会社製「エスレックＢＸ−５」）１質量部とを、プロピレングリコールモノメチルエーテル４０質量部及びテトラヒドロフラン４０質量部を含む溶剤に対して添加した。次いで、これらをビーズミルを用いて２時間混合し、溶剤中に材料を分散させて、電荷発生層用塗布液を調製した。次いで、得られたろ過液を、上述のようにして形成された中間層上にディップコート法を用いて塗布し、５０℃で５分間乾燥させた。これにより、膜厚０．３μｍの電荷発生層を形成した。
【００８７】
【化１６】
2015169859.tif 000017
【００８８】
正孔輸送剤としての化学式（１７）で表されるＣＴＭ−１を４２質量部と、添加剤としてのヒンダードフェノール系酸化防止剤（チバジャパン株式会社製「イルガノックス１０１０」）２質量部と、バインダー樹脂としての化学式（１８）で表されるポリカーボネート樹脂（Ｒｅｓｉｎ−１、粘度平均分子量５１０００）１００質量部と、ビフェニル誘導体としての化学式（１９）で表されるＡＤＤ−１  ５質量部と、ヘキサメチレンジシラザンで表面処理された平均一次粒子径１２ｎｍのシリカ微粒子（日本アエロジル株式会社製「ＲＸ２００」）５質量部とを、テトラヒドロフラン３５０質量部及びトルエン３５０質量部を含む溶剤に対して添加した。これを、循環型超音波分散装置を用いて、１２時間混合し、各成分を溶剤中に分散させて、電荷輸送層用塗布液を調製した。得られた電荷輸送層用塗布液を、電荷発生層用塗布液と同様の操作を行って、電荷発生層上に塗布した。その後、１２０℃で４０分間乾燥させて、膜厚３０μｍの電荷輸送層を形成した。その結果、感光体Ａ−１（積層型電子写真感光体）を作製した。
【００８９】
【化１７】
2015169859.tif 000018
【００９０】
【化１８】
2015169859.tif 000019
【００９１】
【化１９】
2015169859.tif 000020
【００９２】
（感光体Ａ−２の作製方法）
正孔輸送剤としてＣＴＭ−１を化学式（２０）で表されるＣＴＭ−２に代えた以外は、感光体Ａ−１と同様の操作を行って、感光体Ａ−２を作製した。
【００９３】
【化２０】
2015169859.tif 000021
【００９４】
（感光体Ａ−３の作製方法）
正孔輸送剤としてＣＴＭ−１を化学式（２１）で表されるＣＴＭ−３に代えた以外は、感光体Ａ−１と同様の操作を行って、感光体Ａ−３を作製した。
【００９５】
【化２１】
2015169859.tif 000022
【００９６】
（感光体Ａ−４の作製方法）
正孔輸送剤としてＣＴＭ−１を化学式（２２）で表されるＣＴＭ−４に代えた以外は、感光体Ａ−１と同様の操作を行って、感光体Ａ−４を作製した。
【００９７】
【化２２】
2015169859.tif 000023
【００９８】
（感光体Ａ−５の作製方法）
正孔輸送剤としてＣＴＭ−１を化学式（２３）で表されるＣＴＭ−５に代えた以外は、感光体Ａ−１と同様の操作を行って、感光体Ａ−５を作製した。
【００９９】
【化２３】
2015169859.tif 000024
【０１００】
（感光体Ａ−６の作製方法）
正孔輸送剤としてＣＴＭ−１を化学式（２４）で表されるＣＴＭ−６に代えた以外は、感光体Ａ−１と同様の操作を行って、感光体Ａ−６を作製した。
【０１０１】
【化２４】
2015169859.tif 000025
【０１０２】
（感光体Ａ−７の作製方法）
正孔輸送剤としてＣＴＭ−１を化学式（２５）で表されるＣＴＭ−７に代えた以外は、感光体Ａ−１と同様の操作を行って、感光体Ａ−７を作製した。
【０１０３】
【化２５】
2015169859.tif 000026
【０１０４】
（感光体Ａ−８の作製方法）
正孔輸送剤としてＣＴＭ−１を化学式（２６）で表されるＣＴＭ−８に代えた以外は、感光体Ａ−１と同様の操作を行って、感光体Ａ−８を作製した。
【０１０５】
【化２６】
2015169859.tif 000027
【０１０６】
（感光体Ａ−９の作製方法）
正孔輸送剤としてＣＴＭ−１を化学式（２７）で表されるＣＴＭ−９に代えた以外は、感光体Ａ−１と同様の操作を行って、感光体Ａ−９を作製した。
【０１０７】
【化２７】
2015169859.tif 000028
【０１０８】
（感光体Ａ−１０の作製方法）
正孔輸送剤としてＣＴＭ−１を化学式（２８）で表されるＣＴＭ−１０に代えた以外は、感光体Ａ−１と同様の操作を行って、感光体Ａ−１０を作製した。
【０１０９】
【化２８】
2015169859.tif 000029
【０１１０】
（感光体Ａ−１１の作製方法）
正孔輸送剤としてＣＴＭ−１を化学式（２９）で表されるＣＴＭ−１１に代えた以外は、感光体Ａ−１と同様の操作を行って、感光体Ａ−１１を作製した。
【０１１１】
【化２９】
2015169859.tif 000030
【０１１２】
（感光体Ａ−１２の作製方法）
正孔輸送剤としてＣＴＭ−１を化学式（３０）で表されるＣＴＭ−１２に代えた以外は、感光体Ａ−１と同様の操作を行って、感光体Ａ−１２を作製した。
【０１１３】
【化３０】
2015169859.tif 000031
【０１１４】
（感光体Ａ−１３の作製方法）
ビフェニル誘導体としてＡＤＤ−１を化学式（３１）で表されるＡＤＤ−２に代えた以外は、感光体Ａ−１と同様の操作を行って、感光体Ａ−１３を作製した。
【０１１５】
【化３１】
2015169859.tif 000032
【０１１６】
（感光体Ａ−１４の作製方法）
ビフェニル誘導体としてＡＤＤ−１を化学式（３２）で表されるＡＤＤ−３に代えた以外は、感光体Ａ−１と同様の操作を行って、感光体Ａ−１４を作製した。
【０１１７】
【化３２】
2015169859.tif 000033
【０１１８】
（感光体Ａ−１５の作製方法）
ビフェニル誘導体としてＡＤＤ−１を化学式（３３）で表されるＡＤＤ−４に代えた以外は、感光体Ａ−１と同様の操作を行って、感光体Ａ−１５を作製した。
【０１１９】
【化３３】
2015169859.tif 000034
【０１２０】
（感光体Ａ−１６の作製方法）
ビフェニル誘導体としてＡＤＤ−１を化学式（３４）で表されるＡＤＤ−５に代えた以外は、感光体Ａ−１と同様の操作を行って、感光体Ａ−１６を作製した。
【０１２１】
【化３４】
2015169859.tif 000035
【０１２２】
（感光体Ａ−１７の作製方法）
ビフェニル誘導体としてＡＤＤ−１を化学式（３５）で表されるＡＤＤ−６に代えた以外は、感光体Ａ−１と同様の操作を行って、感光体Ａ−１７を作製した。
【０１２３】
【化３５】
2015169859.tif 000036
【０１２４】
（感光体Ａ−１８の作製方法）
ビフェニル誘導体としてＡＤＤ−１を化学式（３６）で表されるＡＤＤ−７に代えた以外は、感光体Ａ−１と同様の操作を行って、感光体Ａ−１８を作製した。
【０１２５】
【化３６】
2015169859.tif 000037
【０１２６】
（感光体Ａ−１９の作製方法）
ビフェニル誘導体としてＡＤＤ−１を化学式（３７）で表されるＡＤＤ−８に代えた以外は、感光体Ａ−１と同様の操作を行って、感光体Ａ−１９を作製した。
【０１２７】
【化３７】
2015169859.tif 000038
【０１２８】
（感光体Ａ−２０の作製方法）
バインダー樹脂としてＲｅｓｉｎ−１を化学式（３８）で表されるＲｅｓｉｎ−２（粘度平均分子量５０５００）に代えた以外は、感光体Ａ−１と同様の操作を行って、感光体Ａ−２０を作製した。
【０１２９】
【化３８】
2015169859.tif 000039
【０１３０】
（感光体Ａ−２１の作製方法）
バインダー樹脂としてＲｅｓｉｎ−１を化学式（３９）で表されるＲｅｓｉｎ−３（粘度平均分子量５００００）に代えた以外は、感光体Ａ−１と同様の操作を行って、感光体Ａ−２１を作製した。
【０１３１】
【化３９】
2015169859.tif 000040
【０１３２】
（感光体Ａ−２２の作製方法）
バインダー樹脂としてＲｅｓｉｎ−１の粘度平均分子量を５１０００から４００００に代えた以外は、感光体Ａ−１と同様の操作を行って、感光体Ａ−２２を作製した。
【０１３３】
（感光体Ａ−２３の作製方法）
バインダー樹脂としてＲｅｓｉｎ−１の粘度平均分子量を５１０００から３２５００に代えた以外は、感光体Ａ−１と同様の操作を行って、感光体Ａ−２３を作製した。
【０１３４】
（感光体Ａ−２４の作製方法）
シリカ微粒子の種類をＲＸ２００からＲＸ３００（平均１次粒子径７ｎｍ）に代えた以外は、感光体Ａ−１と同様の操作を行って、感光体Ａ−２４を作製した。
【０１３５】
（感光体Ａ−２５の作製方法）
シリカ微粒子の種類をＲＸ２００からＮＡＸ５０（平均１次粒子径５０ｎｍ）に代えた以外は、感光体Ａ−１と同様の操作を行って、感光体Ａ−２５を作製した。
【０１３６】
（感光体Ａ−２６の作製方法）
ＣＴＭ−１の添加量を４２質量部から５０質量部に代え、ヘキサメチルジシラザンで表面処理されたシリカ微粒子（ＲＸ２００）からジメチルジクロロシランで表面処理されたシリカ微粒子（Ｒ９７４）に代えた以外は、感光体Ａ−１と同様の操作を行って、感光体Ａ−２６を作製した。
【０１３７】
（感光体Ａ−２７の作製方法）
ＣＴＭ−１の添加量を４２質量部から５０質量部に代え、表面処理されたシリカ微粒子をヘキサメチルジシラザンで処理されたシリカ微粒子（ＲＸ２００）からポリジメチルシロキサンで処理されたシリカ微粒子（ＲＹ２００）に代えた以外は、感光体Ａ−１と同様の操作を行って、感光体Ａ−２７を作製した。
【０１３８】
（感光体Ａ−２８の作製方法）
シリカ微粒子の添加量を５質量部から０．５質量部に代えた以外は、感光体Ａ−１と同様の操作を行って、感光体Ａ−２８を作製した。
【０１３９】
（感光体Ａ−２９の作製方法）
シリカ微粒子の添加量を５質量部から２質量部に代えた以外は、感光体Ａ−１と同様の操作を行って、感光体Ａ−２９を作製した。
【０１４０】
（感光体Ａ−３０の作製方法）
シリカ微粒子の添加量を５質量部から１０質量部に代えた以外は、感光体Ａ−１と同様の操作を行って、感光体Ａ−３０を作製した。
【０１４１】
（感光体Ａ−３１の作製方法）
シリカ微粒子の添加量を５質量部から１５質量部に代えた以外は、感光体Ａ−１と同様の操作を行って、感光体Ａ−３１を作製した。
【０１４２】
（感光体Ｂ−１の作製方法）
ビフェニル誘導体及びシリカ微粒子を用いなかったこと以外は、感光体Ａ−１と同様の操作を行って、感光体Ｂ−１を作製した。
【０１４３】
（感光体Ｂ−２の作製方法）
シリカ微粒子を用いなかったこと以外は、感光体Ａ−１と同様の操作を行って、感光体Ｂ−２を作製した。
【０１４４】
（感光体Ｂ−３の作製方法）
ビフェニル誘導体を用いなかったこと以外は、感光体Ａ−１と同様の操作を行って、感光体Ｂ−３を作製した。
【０１４５】
（感光体Ｂ−４の作製方法）
ビフェニル誘導体としてＡＤＤ−１を化学式（４０）で表されるＡＤＤ−９に代えた以外は、感光体Ａ−１と同様の操作を行って、感光体Ｂ−４を作製した。
【０１４６】
【化４０】
2015169859.tif 000041
【０１４７】
（感光体Ｂ−５の作製方法）
ビフェニル誘導体としてＡＤＤ−１を化学式（４１）で表されるＡＤＤ−１０に代えた以外は、感光体Ａ−１と同様の操作を行って、感光体Ｂ−５を作製した。
【０１４８】
【化４１】
2015169859.tif 000042
【０１４９】
（感光体Ｂ−６の作製方法）
ビフェニル誘導体としてＡＤＤ−１を化学式（４２）で表されるＡＤＤ−１１に代えた以外は、感光体Ａ−１と同様の操作を行って、感光体Ｂ−６を作製した。
【０１５０】
【化４２】
2015169859.tif 000043
【０１５１】
表１は、感光体Ａ−１〜Ａ−３１及び感光体Ｂ−１〜Ｂ−６の電荷輸送層に含有される各材料を示す。
【０１５２】
【表１】
2015169859.tif 000044
【０１５３】
＜電子写真感光体の性能評価＞
（１）電気特性評価
感光体Ａ−１〜Ａ−３１及び感光体Ｂ−１〜Ｂ−６のうちの何れかを、ドラム感度試験機（ジェンテック株式会社製）を用いて、回転数を３１ｒｐｍとし、−８００Ｖになるように帯電させた。次いで、単色光（波長：７８０ｎｍ、露光量：１．０μＪ／ｃｍ2）をハロゲンランプの光からハンドパルスフィルターを用いて取り出し、積層型電子写真感光体の表面に照射した。単色光の照射後、５０ｍｓｅｃが経過した後の表面電位を測定し、この表面電位を残留電位（ＶL）とした。測定環境は、温度２３℃かつ湿度５０％ＲＨとした。ＶLが−１２０Ｖ以上であると、各感光体の電気特性は良好であり、ＶLが−１００Ｖ以上であると、各感光体の電気特性は特に良好であった。
【０１５４】
（２）耐クラック性評価
感光体Ａ−１〜Ａ−３１及び感光体Ｂ−１〜Ｂ−６のうちの何れかの表面における１０箇所に、油脂（オレイン酸トリグリセリド）を付着させて、２日間放置した。測定環境は、温度２３℃及び湿度５０％ＲＨとした。その後、光学顕微鏡を用いて観察し、クラックの発生具合を確認した。下記基準に従って、各感光体の耐クラック性を評価した。
非常に良い（◎）：クラック発生箇所が０箇所である。
良い（○）：クラック発生箇所が１箇所以上３箇所以下である。
普通（△）：クラック発生箇所が４箇所以上５箇所以下である。
悪い（×）：クラック発生箇所が６箇所以上である。
【０１５５】
（３）耐摩耗性評価
感光体Ａ−１〜Ａ−３１及び感光体Ｂ−１〜Ｂ−６のうちの何れかの作製にて調製した電荷輸送層用塗布液を、アルミパイプ（直径：７８ｍｍ）に巻きつけたポリプロピレンシート（厚さ：０．３ｍｍ）に塗布した。これを、１２０℃で４０分間乾燥し、膜厚３０μｍの電荷輸送層が形成された摩耗評価試験用のシートを作製した。
【０１５６】
このポリプロピレンシートから、電荷輸送層を剥離し、ウィールＳ−３６（テーバー社製）に貼り付け、サンプルを作製した。作製したサンプルをロータリーアブレージョンテスタ（株式会社東洋精機製作所製）にセットし、摩耗輪ＣＳ−１０（テーバー社製）を用いて、荷重５００ｇｆかつ回転速度６０ｒｐｍの条件で１０００回転させ、耐摩耗性評価試験を実施した。耐摩耗性評価試験前後のサンプルの質量変化である摩耗減量を測定し、この摩耗減量に基づいて、各感光体の耐摩耗性を評価した。摩耗減量が６．０ｍｇを超えると、各感光体の耐摩耗性が不十分であったが、摩耗減量が６．０ｍｇ以下であると、各感光体の耐摩耗性が良好であった。
【０１５７】
（４）液ライフ後（製造後時間経過した塗布液を用いた）感光体の耐摩耗性評価
電荷輸送層用塗布液の液ライフを加速するために、ロールミルを用いて電荷輸送層用塗布液を循環した。塗布液作成３０日後の電荷輸送層用塗布液をドラム化して、液ライフ後の電荷輸送層用塗布液を調製した。液ライフ後の電荷輸送層用塗布液を用いて、液ライフ前の摩耗評価試験用のシートと同様の操作を行って感光体Ａ−２〜Ａ−３１及び感光体Ｂ−１〜Ｂ−６の液ライフ後の摩耗評価試験用のシートを作製した。液ライフ後の摩耗評価試験用シートを用いて、上述の液ライフ前の耐摩耗性評価と同様に評価した。測定環境は、温度２３℃かつ湿度５０％ＲＨとした。摩耗減量が６．５ｍｇ以上であると、各感光体の液ライフ後の耐摩耗性が不十分であったが、摩耗減量が６．５ｍｇ未満であると、各感光体の液ライフ後の耐摩耗性が良好であった。表２に各感光体の液ライフ後の耐摩耗性の評価結果を示す。
【０１５８】
表２は、感光体Ａ−１〜Ａ−３１及び感光体Ｂ−１〜Ｂ−６の電気特性評価、耐クラック性評価、液ライフ前の耐摩耗性評価、及び液ライフ後の耐摩耗性評価の結果を示す。
【０１５９】
【表２】
2015169859.tif 000045
【０１６０】
本発明に係る電子写真感光体においては、電気特性評価における残留電位が低く、更に耐摩耗試験において液ライフ前及び液ライフ後の摩耗減量が少なかった。従って、本発明に係る電子写真感光体は、優れた電気的特性を維持しつつ、耐摩耗性に優れることが明らかである。
【産業上の利用可能性】
【０１６１】
本発明に係る電子写真感光体は、複合機のような画像形成装置に好適に利用できる。
【符号の説明】
【０１６２】
１０    積層型電子写真感光体
１１    基体
１２    感光層
１３    電荷発生層
１４    電荷輸送層
１５    中間層
２０    単層型電子写真感光体
２１    基体
２２    感光層
２３    中間層
【図１】
2015169859.tif 000058
【図２】
2015169859.tif 000059